(57)【要約】【課題】マヨネーズのような粘性液状体を、簡単な構造でしかも使用し易く、吐出量を調整するような吐出量調整キャップをを提供する。【解決手段】マヨネーズ容器に螺合されたキャップ基部の中心部に固定軸によって固定された固定円板に開口部が形成されており、該固定軸に回動自在に取付けられた回転部材に大開口部、複数配列孔部、単独孔部が形成されており、該回転部材を用途に応じて回転させることにより、マヨネーズの吐出量を調整可能にしたことを特徴とし、且つ固定円板の外枠部に軟質の連結材によって上蓋が一体的に形成されていることを特徴とする吐出量調整キャップを提供するものである。【選択図】図２
2004196415.tif 000002
【特許請求の範囲】
【請求項１】
マヨネーズ容器に螺合され、マヨネーズの吐出量を調整可能にしたことを特徴とする吐出量調整キャップ。
【請求項２】
マヨネーズ容器に螺合されたキャップ基部の中心部に固定軸によって固定された固定円板に開口部が形成されており、該固定軸に回動自在に取付けられた回転部材に大開口部、複数配列孔部、単独孔部が形成されており、該回転部材を用途に応じて回転させることにより、マヨネーズの吐出量を調整可能にしたことを特徴とする請求項１の吐出量調整キャップ。
【請求項３】
固定円板の外枠に軟質の連結材によって上蓋が一体的に形成されていることを特徴とする請求項１の吐出量調整キャップ。
【発明の詳細な説明】
【０００１】
【発明の属する技術分野】
本発明は吐出量調整キャップであり、特にマヨネーズのような粘性物の吐出量を調整可能とした吐出量調整キャップに関するものである。
【０００２】
【従来の技術】
従来、特開平９−３９９８９号公報に開示されているような位置決めキャップであって、長方形のノズル孔を手間なく開閉できるようになしたものが提案されている。また、粘性液状体の吐出容器として特開平１１−１０００７７に開示されているような粘性液状体を略均等に分散して均一状に塗布し、中キャップをユニット化したもの等が提案されているが、簡単な構造で使用し易く吐出量を調整するような吐出量調整キャップとして使用できるような構造を提供するものではなかった。
【０００３】
【発明が解決しようとする課題】
前記せる従来の粘性液状体の吐出用キャップのうち、特開平９−３９９８９号公報に開示されているような位置決めキャップでは、単に長方形のノズル孔を手間なく開閉できるようになしたものであって吐出量を調整することは容器の掴み具合によってのみ調整するものであった。また、特開平１１−１０００７７に開示されているような粘性液状体の吐出容器では、粘性液状体を略均等に分散して均一状に塗布し、中キャップをユニット化したものであって、これも吐出量を調整することは容器の掴み具合によってのみ調整するものであった。
一般家庭に於いて、簡単な構造で使用し易く吐出量を調整するような吐出量調整キャップがマヨネーズ等の粘性液状体の容器に使用されることが望ましい。
【０００４】
【課題を解決するための手段】
本発明は、簡単な構造で使用し易い吐出量調整キャップであり、特にマヨネーズのような粘性物の吐出量を調整可能とした吐出量調整キャップに関するものであり、マヨネーズ容器に螺合され、マヨネーズの吐出量を調整可能にしたことを特徴とし、マヨネーズ容器に螺合されたキャップ基部の中心部に固定軸によって固定された固定円板に開口部が形成されており、該固定軸に回動自在に取付けられた回転部材に大開口部、複数配列孔部、単独孔部が形成されており、該回転部材を用途に応じて回転させることにより、マヨネーズの吐出量を調整可能にしたことを特徴とし、且つ固定円板の外枠部に軟質の連結材によって上蓋が一体的に形成されていることを特徴とする吐出量調整キャップを提供するものである。
【０００５】
【発明の実施の形態】
以下、本発明の実施の形態について図面に基づいて具体的に説明する。
図面に於いて、図１は本発明の吐出量調整キャップをマヨネーズ容器に応用した正面図である。図２は本発明の吐出量調整キャップの上蓋を開放した平面図である。図３は図１の部分縦断面図である。図４は本発明の吐出量調整キャップの回転部材の平面図である。
図５は図４の縦断面図である。図６乃至図８は本発明の吐出量調整キャップの使用状態を説明するための部分斜視図である。
【０００６】
図１及び図６乃至図８に示すように、本発明の吐出量調整キャップＡは粘性体を収納したマヨネーズ容器Ｂ等に螺合して使用するものであって、極めて簡単な構造で使用し易く、吐出量を調整可能にしたことを特徴とする吐出量調整キャップである。
【０００７】
マヨネーズ容器Ｂに螺合されたキャップ基部５の中心部には、図２乃至図３に示すように、固定軸４によって固定円板３が固定されており、該固定円板３には開口部３１が形成されている。更に該固定軸４を回転中心として回転部材２が回動自在に取付けられている。
【０００８】
図２及び図４に示すように、回転部材２には大開口部２１、複数配列孔部２２、単独孔部２３が形成されており、該回転部材２を用途に応じて回転させることにより該大開口部２１、複数配列孔部２２、単独孔部２３を選択してマヨネーズの吐出量を調整することができる。
【０００９】
すなわち、回転部材２を回転させ、単独孔部２３を固定円板３の開口部３１に当接させてマヨネーズ容器Ｂを押さえれば図６に示すようにマヨネーズ６が単独孔部２３より少量吐出される。
【００１０】
また、回転部材２を回転させ、複数配列孔部２２を固定円板３の開口部３１に当接させてマヨネーズ容器Ｂを押さえれば図７に示すようにマヨネーズ６が複数配列孔部２２より数条吐出される。
【００１１】
また、回転部材２を回転させ、大開口部２１を固定円板３の開口部３１に当接させてマヨネーズ容器Ｂを押さえれば図８に示すようにマヨネーズ６が多量に吐出されるように構成されている。
【００１２】
更に本発明の吐出量調整キャップＡには、固定円板３の外枠部３２に軟質の連結材１１によって上蓋１が一体的に形成されているので、不使用時には忘れることなく上蓋１で出口を覆うことができるので衛生的である。
【発明の効果】
本発明の吐出量調整キャップは以上説明したような構成であるので、例えばサラダ用に少量使う場合や調理用に多量使用刷る場合でも、その用途に応じて回転部材をワンタッチで回転させることにより、マヨネーズの吐出量を容易に調整することができる実用的効果のある発明である。
【図面の簡単な説明】
【図１】本発明の吐出量調整キャップをマヨネーズ容器に応用した正面図である。
【図２】本発明の吐出量調整キャップの上蓋を開放した平面図である。
【図３】図１の部分縦断面図である。
【図４】本発明の吐出量調整キャップの回転部材の平面図である。
【図５】図４の縦断面図である。
【図６】本発明の吐出量調整キャップの使用状態を説明するための部分斜視図である。
【図７】本発明の吐出量調整キャップの使用状態を説明するための部分斜視図である。
【図８】本発明の吐出量調整キャップの使用状態を説明するための部分斜視図である。
【符号の説明】
１．上蓋
１１．連結材
２．回転部材
２１．大開口部
２２．複数配列孔部
２３．単独孔部
３．固定円板
３１．開口部
３２．外枠部
４．固定軸
５．キャップ基部
６．マヨネーズ
Ａ．吐出量調整キャップ
Ｂ．マヨネーズ容器
【図１】
2004196415.tif 000003
【図２】
2004196415.tif 000004
【図３】
2004196415.tif 000005
【図４】
2004196415.tif 000006
【図５】
2004196415.tif 000007
【図６】
2004196415.tif 000008
【図７】
2004196415.tif 000009
【図８】
2004196415.tif 000010